(57)【要約】【課題】  製造コストの増大を招くことなく入力操作を容易に行うことができる入力装置及び自覚式検眼装置を提供する。【解決手段】  自覚式検眼装置１０のコントローラ１１の表示画面３０上にタッチパネル装置３２を設け、表示画面３０に表示された視標１２の各文字１２ａのうち一つの文字１２ａに、該文字に対応する位置でタッチパネル３６を指で押下する入力操作が行われたとき、該入力操作が行われた文字１２ａ以外の文字にマスクがけを施し、文字１２ａに前記入力操作が行われた状態で指を視標１２の行又は列に沿って移動させたとき、その行又は列を構成する各文字１２ａ以外の文字１２ａにマスクがけを施す。【選択図】  図４
2007229381.tif 000002
【特許請求の範囲】
【請求項１】
入力対象を示す画像が表示される表示画面と、該表示画面上に該表示画面を覆うように配置され、前記入力対象の前記画像に対応する位置に操作手段を接触又は近接させる入力操作を行うことにより前記入力対象への入力を行うタッチパネル装置とを備え、該タッチパネル装置は、前記操作手段による前記入力操作が行われた状態で前記操作手段が前記位置とは異なる位置に移動したとき、前記操作手段の前記入力操作により行われた入力とは異なる入力を前記入力対象に対して行うことを特徴とする入力装置。
【請求項２】
各種の視標を被検眼に呈示するための視標呈示装置と、該視標呈示装置の作動を制御するコントローラとを備え、前記視標呈示装置により呈示された視標を見ることにより前記被検眼の視機能を被検者の自覚的な判断に基づいて検査するための自覚式検眼装置であって、前記コントローラは、入力対象を示す画像が表示される表示画面と、該表示画面上に該表示画面を覆うように配置され、前記入力対象の前記画像に対応する位置に操作手段を接触又は近接させる入力操作を行うことにより前記入力対象への入力を行うタッチパネル装置とを備え、該タッチパネル装置は、前記操作手段による前記入力操作が行われた状態で前記操作手段が前記位置とは異なる位置に移動したとき、前記操作手段の前記入力操作により行われた入力とは異なる入力を前記入力対象に対して行うことを特徴とする自覚式検眼装置。
【請求項３】
前記入力対象は、前記視標提示装置により呈示されるときに前記表示画面に表示されマトリックス状に配置された複数の文字又は記号からなる前記視標であり、前記各文字又は前記各記号のうち一つに前記操作手段による前記入力操作が行われたとき、該入力操作が行われた前記文字又は前記記号以外の前記文字又は前記記号にそれらを隠すマスクがけが施され、前記文字又は前記記号に前記入力操作が行われた状態で前記操作手段が前記視標の行又は列に沿って移動したとき、その行又は列を構成する前記各文字又は前記各記号以外の前記文字又は前記記号に前記マスクがけが施されることを特徴とする請求項２に記載の自覚式検眼装置。
【発明の詳細な説明】
【技術分野】
【０００１】
本発明は、例えば被検眼の視機能を被検者の自覚的な判断に基づいて検査するための自覚式検眼装置に用いるのに好適な入力装置に関する。
【背景技術】
【０００２】
従来、例えば被検者の各眼の視機能を被検者の応答に基づいて検査するための自覚式検眼装置の作動を制御するコントローラとして、被検者に呈示する視標及び被検者の眼のデータ等の入力対象を示す画像が表示される表示画面と、該表示画面上に該表示画面を覆うように設けられたタッチパネル装置とを備えるコントローラが知られている（例えば、特許文献１参照。）。
【０００３】
タッチパネル装置は、表示画面に表示された入力対象の画像に対応する位置に操作手段である例えば指が接触したときに、該指が接触した入力対象への入力を行う。これにより、表示画面に表示された各入力対象への入力を容易に行うことができる。
【特許文献１】特開平１０−２８３１５２号
【発明の開示】
【発明が解決しようとする課題】
【０００４】
しかしながら、各入力対象を示す画像に対応する位置への指の接触による入力とは別の入力を各入力対象に対して行うときは、各入力対象に前記別の入力をするための画像を表示画面に各入力対象の画像とは別に新たに追加する必要がある。表示画面に表示される画像の個数が増えると、表示画面に表示する画像の大きさが小さくなるため、検者が所期した画像に例えば指を接触させ難くなり、誤操作を招く虞がある。
【０００５】
表示画面に表示される画像の個数の増加に伴って表示画面の大きさを大きくすることが考えられるが、表示画面を製造するコストが増大してしまう。
【０００６】
そこで、本発明の目的は、製造コストの増大を招くことなく入力操作を容易に行うことができる入力装置及び自覚式検眼装置を提供することにある。
【課題を解決するための手段】
【０００７】
上記課題を解決するために、請求項１に記載の発明は、入力対象を示す画像が表示される表示画面と、該表示画面上に該表示画面を覆うように配置され、前記入力対象の前記画像に対応する位置に操作手段を接触又は近接させる入力操作を行うことにより前記入力対象への入力を行うタッチパネル装置とを備え、該タッチパネル装置は、前記操作手段による前記入力操作が行われた状態で前記操作手段が前記位置とは異なる位置に移動したとき、前記操作手段の前記入力操作により行われた入力とは異なる入力を前記入力対象に対して行うことを特徴とする。
【０００８】
請求項２に記載の発明は、各種の視標を被検眼に呈示するための視標呈示装置と、該視標呈示装置の作動を制御するコントローラとを備え、前記視標呈示装置により呈示された視標を見ることにより前記被検眼の視機能を被検者の自覚的な判断に基づいて検査するための自覚式検眼装置であって、前記コントローラは、入力対象を示す画像が表示される表示画面と、該表示画面上に該表示画面を覆うように配置され、前記入力対象の前記画像に対応する位置に操作手段を接触又は近接させる入力操作を行うことにより前記入力対象への入力を行うタッチパネル装置とを備え、該タッチパネル装置は、前記操作手段による前記入力操作が行われた状態で前記操作手段が前記位置とは異なる位置に移動したとき、前記操作手段の前記入力操作により行われた入力とは異なる入力を前記入力対象に対して行うことを特徴とする。
【０００９】
請求項３に記載の発明は、請求項２に記載の発明において、前記入力対象は、前記視標提示装置により呈示されるときに前記表示画面に表示されマトリックス状に配置された複数の文字又は記号からなる前記視標であり、前記各文字又は前記各記号のうち一つに前記操作手段による前記入力操作が行われたとき、該入力操作が行われた前記文字又は前記記号以外の前記文字又は前記記号にそれらを隠すマスクがけが施され、前記文字又は前記記号に前記入力操作が行われた状態で前記操作手段が前記視標の行又は列に沿って移動したとき、その行又は列を構成する前記各文字又は前記各記号以外の前記文字又は前記記号に前記マスクがけが施されることを特徴とする。
【発明の効果】
【００１０】
請求項１に記載の発明によれば、タッチパネル装置が、操作手段を入力対象の画像に対応する位置に接触又は近接させる入力操作が行われた状態で操作手段が前記位置とは異なる位置に移動したとき、操作手段の入力操作により行われた入力とは異なる入力を入力対象に対して行うことから、操作手段を前記位置に接触又は近接させた後、操作手段を前記位置とは異なる位置に移動させることにより、前記位置への操作手段の前記入力操作による入力とは別の入力を入力対象に対して容易に行うことができる。
【００１１】
これにより、前記位置への操作手段の前記入力操作による入力とは別の入力を入力対象に入力するための画像を表示画面に入力対象を示す画像とは別に新たに追加する必要はないので、表示画面に表示される画像の個数の増加により表示画面の画像の大きさが小さくなることを、確実に防止することができる。
【００１２】
従って、表示画面に表示される画像の大きさが小さくなることによる操作性の悪化を防止することができるので、従来のような誤操作を確実に防止することができる。
【００１３】
また、表示画面に表示される画像の個数を増加する必要はないことから、表示画面の大きさを大きくする必要はないので、表示画面の大きさを大きくすることによる従来のような表示画面の製造コストの増大を確実に防止することができる。
【００１４】
請求項２に記載の発明によれば、自覚式検眼装置のコントローラがタッチパネル装置を備えており、該タッチパネル装置は、操作手段を入力対象の画像に対応する位置に接触又は近接させる入力操作が行われた状態で操作手段が前記位置とは異なる位置に移動したとき、操作手段の入力操作により行われた入力とは異なる入力を入力対象に対して行うことから、操作手段を前記位置に接触又は近接させた後、操作手段を前記位置とは異なる位置に移動させることにより、前記位置への操作手段の前記入力操作による入力とは別の入力を入力対象に対して容易に行うことができる。これにより、前記位置への操作手段の前記入力操作による入力とは別の入力を入力対象に入力するための画像を表示画面に入力対象を示す画像とは別に新たに追加する必要はないので、表示画面に表示される画像の個数の増加により表示画面の画像の大きさが小さくなることを、確実に防止することができる。
【００１５】
従って、表示画面に表示される画像の大きさが小さくなることによる操作性の悪化を防止することができるので、従来のような誤操作を確実に防止することができる。
【００１６】
請求項３に記載の発明によれば、視標提示装置により呈示される視標の各文字又は各記号のうち一つに操作手段による前記入力操作が行われたとき、該入力操作が行われた文字又は記号以外の文字又は記号にそれらを隠すマスクがけが施され、文字又は記号に前記入力操作が行われた状態で操作手段が視標の行又は列に沿って移動したとき、その行又は列を構成する各文字又は各記号以外の文字又は記号にマスクがけが施されることから、操作手段により前記入力操作及び前記移動操作を行うことによって、前記入力操作のみを行ったときの一文字マスクとは別に、視標の所望の行又は列に縦マスク又は横マスクを容易に施すことができる。
【００１７】
従って、視標の各文字を示す画像とは別に、視標の各行又は各列にマスクがけを施すことを示す画像を表示画面に設ける必要はないので、表示画面に表示される画像の個数の増加により表示画面の画像の大きさが小さくなることを、確実に防止することができる。
【発明を実施するための最良の形態】
【００１８】
本発明を図示の実施例に沿って説明する。
【実施例】
【００１９】
図１は、被検眼の視機能を被検者Ｐの自覚的な判断に基づいて検査するための自覚式検眼装置１０のコントローラ１１に、本発明に係る入力装置を適用した例を示す。
【００２０】
自覚式検眼装置１０は、従来よく知られているように、図示しない眼鏡を作成する際に該眼鏡のレンズの屈折度数を定めるために用いられている。
【００２１】
本発明に係る自覚式検眼装置１０は、図１に示すように、各種の視標１２を被検者Ｐの被検眼に呈示するための視標呈示装置１３と、被検眼の視機能を矯正するための矯正装置１４とを備える。
【００２２】
視標呈示装置１３は、視標１２が表示される表示窓１６が設けられた呈示装置本体１７を備える。表示窓１６に表示される視標１２は、コントローラ１１の後述する操作により選択される。
【００２３】
視標呈示装置１３の被検者Ｐ側には、検眼テーブル１８が配置されており、該検眼テーブルには、該検眼テーブルからその上方へ伸びる支柱１９が設けられている。支柱１９の上部には横方向に伸びるアーム２０が設けられており、該アームに矯正装置１４が取り付けられている。
【００２４】
矯正装置１４は、左右方向に並べて配置された一対のフォロプタ２１を備える。各フォロプタ２１は、それぞれ検眼窓２２が形成されたハウジング２１ａを備える。各ハウジング２１ａ内には、図示しないが従来と同様に、互いに屈折度数の異なる複数のレンズが周方向に沿って設けられた環状のレンズディスクが回転可能に収納されている。前記各レンズは、前記レンズディスクの回転により各検眼窓２２内に選択的に配置される。
【００２５】
本発明に係るコントローラ１１は、検眼テーブル１８上に載置されており、図２に示すように、ＣＰＵ２３を有する演算制御回路２４と、検者２５（図１参照。）により操作される操作部２６と、該操作部に電気的に接続された表示部２７とを備える。操作部２６及び表示部２７は、それぞれ演算制御回路２４に接続されている。ＣＰＵ２３は、矯正装置１４及び視標提示装置１３のそれぞれに設けられた図示しない駆動制御部に接続されており、矯正装置１４及び視標呈示装置１３の作動を制御する。
【００２６】
操作部２６には、図３に示すように、各フォロプタ２１の検眼窓２２内に配置する前記レンズを選択するためのダイヤルスイッチ２８、測定するモードを指定するための指定スイッチ２９等の検査の設定のための各種スイッチが設けられている。例えばダイヤルスイッチ２８が操作されると、演算制御回路２４の制御下で、選択された前記レンズの屈折力を示す数値が後述する表示画面３０の屈折力表示欄３１に表示される。また、ダイヤルスイッチ２８が操作されると、演算制御回路２４から矯正装置１４の前記駆動制御部に制御信号が送られ、これにより、ダイヤルスイッチ２８の操作により選択された前記レンズが各フォロプタ２１の検眼窓２２内に配置される。
【００２７】
表示部２７は、図２に示すように、操作部２６の前記各スイッチの操作により設定された内容を表示する前記した表示画面３０と、タッチパネル装置３２とを有する。
【００２８】
表示画面３０は、図示の例では、液晶パネルで構成されている。表示画面３０には、図４に示すように、操作部２６のダイヤルスイッチ２８の操作により設定された各フォロプタ２１の検眼窓２２内に配置された前記レンズの球面度数、乱視度数及び軸角度等の屈折力が表示される前記した屈折力表示欄３１が設けられている。また、表示画面３０には、図示の例では、種々の機能が表示される複数のファンクションスイッチ３３が表示されている。
【００２９】
更に、表示画面３０には、視標呈示装置１３の表示窓１６に表示される視標１２の一覧が表示される一覧表示欄３４と、検査に用いるべく一覧表示欄３４から選択された視標１２が表示される視標表示欄３５とが設けられている。視標表示欄３５に表示された視標１２は、図示の例では、マトリックス状に配置された複数の文字１２ａからなる視標１２で構成されている。
【００３０】
タッチパネル装置３２は、図２に示すように、タッチパネル３６と、該タッチパネルに操作手段が接触又は近接したことを検知するためのタッチセンサ３７とを有する。
【００３１】
タッチパネル３６は、表示画面３０を覆うように配置されている。また、タッチパネル３６は、本実施例では、図示しないが、複数の導電膜ストライプが互いに平行に形成され且つ両端部に抵抗膜が設けられた透明のフィルムやガラス等の一対のパネル部材を、前記各導電膜ストライプが互いに直交するように貼り合わせることにより形成された、いわゆる抵抗膜式のタッチパネルで構成されている。この抵抗膜式のタッチパネルでは、従来よく知られているように、タッチパネルの表面が押下されたとき、前記各パネル部材に形成された前記各導電膜ストライプが互いに接触することにより電気的に導通する。このとき、前記各抵抗膜に現れる電圧に基づいて、一方の前記パネル部材の複数の前記導電膜ストライプのうちのいずれの前記導電膜ストライプが他方の前記パネル部材の複数の前記導電膜ストライプのうちのいずれの前記導電膜ストライプに接触したかがタッチセンサにより検出され、これにより、タッチパネルの押下された位置が特定される。
【００３２】
本発明に係るコントローラ１１では、視標呈示装置１３の表示窓１６に表示する視標１２を選択する操作及び視標１２を構成する各文字１２ａのうち被検者に呈示する文字１２ａ以外の文字１２ａを隠す従来よく知られたマスクがけの操作は、それぞれ表示画面３０上で行われる。
【００３３】
視標１２を選択する際、検者２５は、表示画面３０の一覧表示欄３４に表示された入力対象である各種の視標１２のうち表示窓１６に表示すべき視標１２に対応する位置で、例えば操作手段である検者の指によりタッチパネル３６を表示画面３０に向けて押下する入力操作を行う。このとき、タッチセンサ３７によって前記したように検知されたタッチパネル３６への指の押下位置を示す信号がタッチセンサ３７から表示画面３０に送られ、これにより、一覧表示欄３４から選択された視標１２が、図４に示すように、表示画面３０の視標表示欄３５内に表示される。
【００３４】
表示画面３０の視標表示欄３５に表示された入力対象である視標１２の各文字１２ａのうち例えば「Ｅ」の文字を被検者Ｐに呈示する場合、視標表示欄３５に表示された「Ｅ」の文字１２ａに対応する位置でタッチパネル３６を指により押下する。このとき、演算制御回路２４は、タッチセンサ３７から送られてくる検知信号に基づいて表示画面３０の画像処理を行い、これにより、視標表示欄３５には、図５（ａ）に示すように、「Ｅ」の文字１２ａ以外の文字１２ａにマスクがけが施された視標１２が表示される。また、演算制御回路２４は、タッチセンサ３７から送られてくる検知信号に基づいて、視標呈示装置１３の前記駆動制御部に「Ｅ」の文字１２ａ以外の文字１２ａにマスクがけを施す旨の信号を送る。これにより、視標呈示装置１３の表示窓１６には、図６（ａ）に示すように、「Ｅ」の文字１２ａのみが表示される。
【００３５】
また、視標表示欄３５に表示された入力対象である視標１２の各列のうち例えば「Ｎ」、「Ｅ」及び「Ｃ」の文字１２ａで構成される列を被検者Ｐに呈示する場合、タッチパネル３６の「Ｎ」の文字１２ａに対応する位置を指により押下する。更に、タッチパネル３６の「Ｎ」の文字１２ａに対応する位置を押下した状態で、図５（ｂ）に示すように、指を「Ｅ」の文字１２ａに対応する位置へ向けてタッチパネル３６上を移動させる。このとき、タッチセンサ３７は、指が最初に押下した位置すなわち入力操作の開始位置から該開始位置と異なる位置に移動したことを検知する。このタッチセンサ３７による指の移動の検知は、例えば指の移動速度、移動距離及び移動時間等に基づいて行われる。演算制御回路２４は、指が前記開始位置から他の位置に移動したことを示す信号をタッチセンサ３７から受けると、その検知信号に基づいて指の移動方向を演算し、その移動方向に沿った行又は列に配列された文字１２ａすなわち図示の例では「Ｎ」、「Ｅ」及び「Ｃ」の文字１２ａ以外の文字にマスクがけを施すべく表示画面３０の画像処理を行う。これにより、視標表示欄３５には、図５（ｂ）に示すように、「Ｎ」、「Ｅ」及び「Ｃ」の文字１２ａ以外の文字１２ａにマスクがけが施された視標１２が表示される。また、演算制御回路２４は、タッチセンサ３７から送られてくる検知信号に基づいて、視標呈示装置１３の前記駆動制御部に「Ｎ」、「Ｅ」及び「Ｃ」の文字１２ａで構成される列以外の列にマスクがけを施す旨の信号を送る。これにより、視標呈示装置１３の表示窓１６には、図６（ｂ）に示すように、「Ｎ」、「Ｅ」及び「Ｃ」の文字１２ａのみが表示される。
【００３６】
更に、視標表示欄３５に表示された入力対象である視標１２の各行のうち例えば「Ｏ」、「Ｖ」、「Ｅ」、「Ｆ」及び「Ｇ」の文字１２ａで構成される行を被検者Ｐに呈示する場合、タッチパネル３６の「Ｏ」の文字１２ａに対応する位置を指により押下する。更に、タッチパネル３６の「Ｏ」の文字１２ａに対応する位置を押下した状態で、図５（ｃ）に示すように、指を「Ｖ」の文字１２ａに対応する位置へ向けてタッチパネル３６上を移動させる。このとき、タッチセンサ３７は、前記したと同様に指の移動を検知し、その旨を示す信号を演算制御回路２４に送る。その後、前記したと同様に、演算制御回路２４の制御下で表示画面３０の画像処理が行われ、これにより、視標表示欄３５には、図５（ｃ）に示すように、「Ｏ」、「Ｖ」、「Ｅ」、「Ｆ」及び「Ｇ」の文字１２ａ以外の文字１２ａにマスクがけが施された視標１２が表示される。また、演算制御回路２４は、視標呈示装置１３の前記駆動制御部に「Ｏ」、「Ｖ」、「Ｅ」、「Ｆ」及び「Ｇ」の文字１２ａで構成される行以外の行にマスクがけを施す旨の信号を送り、これにより、視標呈示装置１３の表示窓１６には、図６（ｃ）に示すように、「Ｏ」、「Ｖ」、「Ｅ」、「Ｆ」及び「Ｇ」の文字１２ａのみが表示される。
【００３７】
被検者Ｐは、視標呈示装置１３の表示窓１６に表示された視標１２の文字を各検眼窓１６内に配置された前記各レンズを通して見て、その見え具合を検者２５に応答する。検者２５は、被検者Ｐの応答に基づいて、各検眼窓２２内に配置する前記レンズを操作部２６のダイヤルスイッチ２８の操作により切り替える。これにより、被検眼の視機能が矯正され、作成すべき眼鏡のレンズの屈折度数を定めることができる。
【００３８】
本実施例によれば、自覚式検眼装置１０のコントローラ１１にタッチパネル装置３２が設けられており、該タッチパネル装置は、検者２５が指でタッチパネル３６の入力対象の画像に対応する位置を押下する入力操作を行った状態で指を前記位置とは異なる位置に移動したとき、前記入力操作により行われた入力とは異なる入力が入力対象に対して行われる。
【００３９】
すなわち、本実施例によれば、前記したように、コントローラ１１の表示画面３０の視標表示欄３５に表示された視標１２の各文字１２ａのうち一つの文字１２ａに前記入力操作が行われたとき、該入力操作が行われた文字１２ａ以外の文字にマスクがけを施すことができ、文字１２ａに前記入力操作が行われた状態で指を視標１２の行又は列に沿って移動させたとき、その行又は列を構成する各文字１２ａ以外の文字１２ａにマスクがけが施すことができる。
【００４０】
これにより、前記入力操作及び前記移動操作を行うことにより、前記入力操作のみを行ったときの一文字マスクとは別に、視標１２の所望の行又は列に縦マスク又は横マスクを容易に施すことができる。
【００４１】
従って、視標１２の各文字１２ａを示す画像とは別に、視標１２の各行又は各列にマスクがけを施すことを示す画像を表示画面３０に設ける必要はないので、表示画面３０に表示される画像の個数の増加により表示画面３０の画像の大きさが小さくなることを、確実に防止することができる。
【００４２】
これにより、表示画面３０に表示される画像の大きさが小さくなることによる操作性の悪化を防止することができるので、従来のような誤操作を確実に防止することができる。
【００４３】
また、表示画面３０に表示される画像の個数を増加する必要はないことから、表示画面３０の大きさを大きくする必要はないので、表示画面３０の大きさを大きくすることによる従来のような表示画面３０の製造コストの増大を確実に防止することができる。
【００４４】
本実施例では、タッチセンサ３７が、指の入力操作の開始位置から該開始位置と異なる位置への移動を例えば指の移動速度、移動距離及び移動時間等に基づいて検知する例を示したが、これに代えて、表示画面３０の画素数に基づいて指の移動を検知するタッチセンサを本発明に用いることができる。この場合、タッチセンサは、指が表示画面３０の所定の画素数（例えば、３ピクセル及び５ピクセル等である。）を有する範囲を越えて移動したときに、指が前記開始位置から移動したことを検知する。
【００４５】
また、本実施例では、視標１２の所望の行又は列に横マスク又は縦マスクをかけるとき、左から右又は上から下に向けて指をタッチパネル３６上で移動させた例を示したが、これに代えて、指を移動させる方向を逆にすることができる。
【００４６】
更に、本実施例では、各フォロプタ２１の検眼窓１６内に配置される前記レンズの切り換えを操作部２６のダイヤルスイッチ２８の操作により切り換えた例を示したが、これに代えて、又は、これに加えて、前記レンズの切換をタッチパネル３６上で行うことができる。
【００４７】
この場合、図４に示す屈折力表示欄３１の前記レンズの球面度数、乱視度数及び軸角度を示す数値に対応する位置でタッチパネル３６を指により押下し、更に、指を前記位置からタッチパネル３６上を移動させることにより球面度数、乱視度数又は軸角度の数値を変化させて設定することができる。このとき、タッチセンサ３７は、指の移動速度、移動距離、移動時間及びタッチパネル３６上の移動領域等に基づいて、指の移動を検知することができる。指の移動操作により屈折力表示欄３１に表示される数値が設定されると、屈折力の数値が設定されたことを示す検知信号がタッチセンサ３７から演算制制御回路２４に送られる。演算制御回路２４は、タッチセンサ３７から検知信号を受けると、設定された屈折力を有するレンズを各フォロプタ２１の検眼窓１６内に配置する旨の制御信号を矯正装置１４の前記駆動制御部に送り、これにより、設定された屈折力を有するレンズが各検眼窓１６内に配置される。
【００４８】
また、本実施例では、操作手段が検者２５の指である例を示したが、これに代えて、例えばタッチパネル３６専用のペンのように検者２５の指以外の操作手段を本発明に用いることができる。
【００４９】
更に、本実施例では、タッチパネル３６が抵抗膜式のタッチパネルで構成された例を示したが、これに代えて、従来よく知られた電磁誘導方式、磁歪遅延方式、超音波方式及び光走査方式等の抵抗膜式以外のタッチパネルを本発明に用いることができる。
【００５０】
また、本実施例では、本発明に係る入力装置を自覚式検眼装置１０のコントローラ１１に用いた例を示したが、これに代えて、自覚式検眼装置１０のコントローラ１１以外の入力手段に本発明を適用することができる。
【図面の簡単な説明】
【００５１】
【図１】本発明に係る自覚式検眼装置を概略的に示す斜視図である。
【図２】本発明に係る自覚式検眼装置を概略的に示すブロック図である。
【図３】本発明に係るコントローラの操作部概略的に示す平面図である。
【図４】本発明に係る表示部の表示画面を概略的に示す正面図である。
【図５】（ａ）は、表示画面に表示された視標に一文字マスクがかけられた状態を概略的に示す正面図であり、（ｂ）は、表示画面に表示された視標に縦マスクがかけられた状態を概略的に示す正面図であり、（ｃ）は、表示画面に表示された視標に横マスクがかけられた状態を概略的に示す正面図である。
【図６】（ａ）、（ｂ）及び（ｃ）は、それぞれ図５（ａ）、図５（ｂ）及び図５（ｃ）のときの視標呈示装置の表示窓への視標の表示状態を概略的に示す正面図である。
【符号の説明】
【００５２】
１０  自覚式検眼装置
１１  コントローラ（入力手段）
１２  入力対象（視標）
１３  視標呈示装置
３０  表示画面
３２  タッチパネル装置
【図１】
2007229381.tif 000003
【図２】
2007229381.tif 000004
【図３】
2007229381.tif 000005
【図６】
2007229381.tif 000006
【図４】
2007229381.tif 000007
【図５】
2007229381.tif 000008